(57)【特許請求の範囲】
【請求項１】
通信回線に接続される親機と、該親機と無線接続される子機とからなるコードレス電話機において、
上記親機及び子機に、
電話番号等の電話帳データを複数登録することが可能な電話帳メモリをそれぞれ設け、
上記親機又は、子機に、
上記子機の充電開始を検出したとき、上記電話帳メモリに記憶された電話帳データを上記子機又は親機に送信し、当該子機又は親機の電話帳メモリに記憶された電話帳データを更新させる制御手段を設け、
上記電話帳データに、電話帳データの消去指示の有無を表す消去情報を設ける一方、
上記制御手段は、当該電話帳データの更新において、当該親機及び子機の電話帳データに、若しくは当該親機又は子機のどちらか一方の電話帳データに当該電話帳データの消去指示有りを表す消去情報が付与されている場合に、当該消去情報に応じて電話帳データを消去することを特徴とするコードレス電話機。
【請求項２】
通信回線に接続される親機と、該親機と無線接続される子機と、当該子機が装着されたときに当該子機の充電を開始する充電器とを有し、当該子機が、親機に装着された場合、又は充電器に装着された場合に、充電を開始するコードレス電話機において、
上記親機及び子機に、
電話番号等の電話帳データを複数登録することが可能な電話帳メモリをそれぞれ設け、
上記親機又は、子機に、
上記電話帳メモリに記憶された電話帳データを上記子機又は親機に送信し、当該子機又は親機の電話帳メモリに記憶された電話帳データを更新させる制御手段を設け、
上記子機には、当該子機が、当該親機に装着されたか、当該充電器に装着されたかを判別する判別手段を設ける一方、
上記制御手段は、当該判別手段による、当該子機が当該親機に装着されたとの判別結果に基づいて、上記電話帳メモリに記憶された電話帳データの更新を開始させることを特徴とするコードレス電話機。
【請求項３】
上記電話帳メモリは、電話帳データを登録したときの日時データを記憶する一方、
上記制御手段は、上記子機の充電開始を検出したとき、上記電話帳メモリに記憶された日時データが親機と子機とで一致するか判断し、不一致であると判断されたとき、電話帳データの更新を行わせ、
さらに、該更新において、該親機及び子機の電話帳メモリに記憶された電話帳データを、最新の日時データが記憶された電話帳メモリの電話帳データに合わせることを特徴とする請求項１又は２に記載のコードレス電話機。
【発明の詳細な説明】
【０００１】
【発明の属する技術分野】
本発明は、コードレス電話機に関する。
【０００２】
【従来の技術】
従来より、コードレス電話機においては、親機と子機とにそれぞれ電話帳メモリを設け、当該電話帳メモリを用いてオートダイヤルを行ったり、通信前発信者情報通知サービスによって受信した発信者情報に基づいて対応する発信者の名称等を報知していた。又、これらコードレス電話機においては、特開平７−３８９５７号公報や特開平１０−２１５３０７号公報に示されるように、親機と子機の間で電話帳データを転送することにより、電話帳データの入力作業を軽減するようにしたものが提案されていた。
【０００３】
【発明が解決しようとする課題】
ところが、上記従来装置のように、親機と子機の間で電話帳データを転送することによって電話帳データの入力作業を軽減できるようにしたものでは、親機と子機との間が無線接続されたことを確認した後に、使用者が所定の操作を行って転送開始を指示しなくてはならず、又親機又は子機において電話番号を消去した場合には、データ転送によって消去した電話番号が復活してしまうため、親機及び子機の両方において電話番号を消去しなくてはならず、使用者において煩雑な操作を要するといった問題点があった。
【０００４】
本発明は、使用者における繁雑な操作を要することなく、親機及び子機の電話帳データの登録を行うことができるコードレス電話機を提供することを目的とするものである。
【０００５】
【課題を解決するための手段】
上記目的を達成するために、本発明は、通信回線に接続される親機と、該親機と無線接続される子機とからなるコードレス電話機において、上記親機及び子機に、電話番号等の電話帳データを複数登録することが可能な電話帳メモリをそれぞれ設け、上記親機又は、子機に、上記子機の充電開始を検出したとき、上記電話帳メモリに記憶された電話帳データを上記子機又は親機に送信し、当該子機又は親機の電話帳メモリに記憶された電話帳データを更新させる制御手段を設け、上記電話帳データに、電話帳データの消去指示の有無を表す消去情報を設ける一方、上記制御手段は、当該電話帳データの更新において、当該親機及び子機の電話帳データに、若しくは当該親機又は子機のどちらか一方の電話帳データに当該電話帳データの消去指示有りを表す消去情報が付与されている場合に、当該消去情報に応じて電話帳データを消去する構成としたものである。
【０００６】
従って、本発明によれば、充電が開始されると、制御手段が電話帳データの更新を開始し、親機及び子機の電話帳データに、若しくは親機又は子機の電話帳データに、電話帳データの消去指示有りを表す消去情報が付与されている場合には、この消去情報に応じて電話帳データを消去することができる。
【０００７】
又、本発明は、通信回線に接続される親機と、該親機と無線接続される子機と、当該子機が装着されたときに当該子機の充電を開始する充電器であって、当該子機が、親機に装着された場合、又は充電器に装着された場合に、充電を開始するコードレス電話機において、上記親機及び子機に、電話番号等の電話帳データを複数登録することが可能な電話帳メモリをそれぞれ設け、上記親機又は、子機に、上記電話帳メモリに記憶された電話帳データを上記子機又は親機に送信し、当該子機又は親機の電話帳メモリに記憶された電話帳データを更新させる制御手段を設け、上記子機には、当該子機が、当該親機に装着されたか、当該充電器に装着されたかを判別する判別手段を設ける一方、上記制御手段は、当該判別手段による、当該子機が当該親機に装着されたとの判別結果に基づいて、上記電話帳メモリに記憶された電話帳データの更新を開始させる構成としたものである。
【０００８】
従って、本発明によれば、子機に、子機自身が親機に装着されたのか、充電器に装着されたのかを判別する判別手段を設けることで、子機が親機との通信を確実に行うことができる親機に装着されて充電を開始した場合にのみ、電話帳データの更新を行わせることができる。
【０００９】
更に、本発明は、上述の構成に加え、上記電話帳メモリは、電話帳データを登録したときの日時データを記憶する一方、上記制御手段は、上記子機の充電開始を検出したとき、上記電話帳メモリに記憶された日時データが親機と子機とで一致するか判断し、不一致であると判断されたとき、電話帳データの更新を行わせ、さらに、該更新において、該親機及び子機の電話帳メモリに記憶された電話帳データを、最新の日時データが記憶された電話帳メモリの電話帳データに合わせる構成としたものである。
【００１０】
従って、本発明によれば、制御手段が上記親機または子機の電話帳メモリに記憶されたデータを、最新の日時データが記憶された電話帳データを子機または親機に送信し、その子機または親機の電話帳メモリに記憶された電話帳データを更新させることにより、使用者における煩雑な操作を要することなく、親機及び子機の電話帳データの更新を行うことができ、さらに、制御手段が電話帳メモリに記憶された日時データが親機と子機とで一致するか判断し、不一致であると判断されたとき、親機又は子機の電話帳メモリに記憶された電話帳データを子機又は親機に送信し、その子機又は親機の電話帳メモリに記憶されたデータを更新させることにより、必要時においてのみ、親機及び子機の電話帳データの更新を行うことができる。
【００１１】
【発明の実施の形態】
以下、本発明の実施の形態について図面を参照して詳細に説明する。
【００１２】
図１は本発明の一実施の形態であるコードレス電話機の親機の構成を示す機能ブロック図、図２は同コードレス電話機の子機の構成を示す機能ブロック図、図３は同コードレス電話機の子機におけるクレードル判定回路の構成を示すブロック図、図４は同コードレス電話機の親機及び子機における電話帳メモリのデータ構成を示す説明図、図５は同コードレス電話機における電話帳データ更新時の動作制御を示すフローチャートである。
【００１３】
以下、本発明の一実施の形態であるコードレス電話機を図１乃至図５に基づいて説明する。
【００１４】
図１及び図２において、１は図示しない交換機を介して相手側電話機と接続される通信回線網、２は通信回線網１の回線制御を行う網制御部であり、通信回線網１から到来する信号の極性反転の検出，ＣＩ信号でリンガ音を発生する回路やダイヤルパルス発生回路等からなっている。３は網制御部２を介して送受信する音声信号の処理を行う音声処理部であり、音声信号の接続切換を行う回路やパワーアンプやＤＴＭＦダイヤラ等からなっている。
【００１５】
４は音声処理部３で処理された音声信号を外部に放音するスピーカ、５は外部音声を集音し音声信号として音声処理部３に供給するマイク、６は音声処理部３で処理された音声信号を外部に放音するスピーカと、外部音声を集音し音声信号として音声処理部３に供給するマイクとを備えたハンドセットであり、必要に応じて設けられるようになっている。
【００１６】
７は音声処理部３で処理される音声信号に無線で送受信するための圧縮処理や伸長処理を施す圧縮・伸長部、８はアンテナ、９はアンテナ８を用いて子機から送信された信号を受信して圧縮・伸長部７に供給と共に、アンテナ８を用いて圧縮・伸長部７から供給された信号を子機に送信する無線部であって、その送受信方法としては、通常の小電力コードレス電話機で採用されている微少電力方式やＰＨＳ共用タイプで採用されている周波数変調方式等があり、又複数台の子機と同時に通信できるようにするために複数設けるようにしても良い。
【００１７】
１０は電話番号の入力や各種機能の起動・停止指示を行う操作部、１１は電話番号等のデータや機器本体の状態等を表示する表示部、１２は現在日時を計時する時計部、１３は各種プログラムデータ等を記憶する記憶部、１４は電話番号等の電話帳データを記憶する電話帳メモリであり、図４（ｂ）に示すように、共通電話帳とプライベート電話帳とに分けられ、且つプライベート電話帳において親機と各子機とに更に分けられると共に、各電話帳毎に更新日時を記憶するための領域が設けられ、各電話帳内において名称と電話番号と個別更新日時と消去有無とを記憶する領域が各件毎に設けられている。
【００１８】
１５は記憶部１３とあいまって各部を制御する主制御部、１６は機器本体に装着された子機に対して電源供給を行う充電供給部、１７は充電供給部１６及びその他の回路部に対して電源供給を行うＤＣ電源である。
【００１９】
そして、これら網制御部２と音声処理部３とスピーカ４とマイク５とハンドセット６と圧縮・伸長部７とアンテナ８と無線部９と操作部１０と表示部１１と時計部１２と記憶部１３と電話帳メモリ１４と主制御部１５と充電供給部１６とＤＣ電源１７とによってコードレス電話機の親機が構成されている。
【００２０】
２１はアンテナ、２２はアンテナ２１を用いて親機から送信された信号を受信すると共に、アンテナ２１を用いて親機に信号を送信する無線部、２３は無線部２２によって送受信される信号に無線で送受信するための圧縮処理や伸長処理を施す圧縮・伸長部、２４は無線部２２及び圧縮・伸長部を介して送受信する音声信号の処理を行う音声処理部である。
【００２１】
２５は音声処理部２４で処理された音声信号を外部に放音するスピーカ、２６は外部音声を集音し音声信号として音声処理部２４に供給するマイク、２７は音声処理部２４で処理された音声信号を外部に放音するスピーカと、外部音声を集音し音声信号として音声処理部２４に供給するマイクとを備えたハンドセットである。
【００２２】
２８は電話番号の入力や各種機能の起動・停止指示を行う操作部、２９は電話番号等のデータや機器本体の状態等を表示する表示部、３０は現在日時を計時する時計部、３１は各種プログラムデータ等を記憶する記憶部、３２は電話番号等の電話帳データを記憶する電話帳メモリであり、図４（ａ）に示すように、共通電話帳とプライベート電話帳とに分けられ、各電話帳毎に更新日時を記憶するための領域が設けられると共に、各電話帳内において名称と電話番号と個別更新日時と消去有無とを記憶する領域が各件毎に設けられている。
【００２３】
３３は記憶部３１とあいまって各部を制御する主制御部、３４は機器本体に装着された子機に対して電源供給を行う充電供給部、３５は充電供給部３４に対して電源供給を行うＤＣ電源である。
【００２４】
そして、これらアンテナ２１と無線部２２と圧縮・伸長部２３と音声処理部２４とスピーカ２５とマイク２６とハンドセット２７と操作部２８と表示部２９と時計部３０と記憶部３１と電話帳メモリ３２と主制御部３３とによってコードレス電話機の子機が構成されると共に、充電供給部３４とＤＣ電源３５とによって充電器が構成されている。
【００２５】
又、上記のように構成されたコードレス電話機の子機は、図３に示すように、充電端子４１と、充電端子４１からの出力を整流するダイオードブリッジ４２と、ダイオードブリッジ４２により整流された出力を各部において必要となる電力に変換する定電圧回路４３と、ダイオードブリッジ４２におり整流された出力から充電供給部１６によって供給される出力の下限電圧Ｖｒｅｆ１を減算するコンパレータ４４と、ダイオードブリッジ４２におり整流された出力を充電供給部１６によって供給される出力の上限電圧Ｖｒｅｆ２から減算するコンパレータ４５と、コンパレータ４４の出力とコンパレータ４５の出力のＡＮＤをとるＡＮＤ回路４６とを備え、親機の充電供給部１６によって印加する電圧値と充電器の充電供給部３４によって印加する電圧値を異ならせる（例えば、親機を７Ｖ、充電器を６Ｖとする）ことにより、ＡＮＤ回路４６の出力によって子機が親機に装着されたのか充電器に装着されたのかを検知できるようになっている。
【００２６】
以下、上記のように構成されたコードレス電話機について、まず、使用者による手動操作によって電話帳データを更新するときの動作を説明する。
【００２７】
使用者が操作部１０を操作して新規に電話帳データの入力を行うと、その入力された電話帳データが時計部１２によって計時されている現在日時と共に電話帳メモリ１４に記憶され、又使用者が操作部１０を操作して既に記憶されている電話帳データの消去を指示すると、その指示された電話帳データの親機消去を示す領域に消去マークが付与される。
【００２８】
そして、親機消去を示す領域に消去マークが付与されていない電話帳データのみが表示部１１に表示可能となり、各種動作が行われると共に、各子機のプライベート電話帳については、各プライベート電話帳毎に設定された暗証番号が入力されたときにのみ表示部１１に表示可能となり、各種動作が行われるようになっている。尚、子機については、上記動作制御と同様であるため、その説明については省略する。
【００２９】
次に、データ転送によって電話帳データを更新するときの動作を図５に示すフローチャートに基づいて説明する。
【００３０】
待機状態において、子機が親機に装着され、その親機への装着がＡＮＤ回路４６の出力によって検知される（ステップＳ１）と、主制御部３３は無線部２１を制御して親機との間の無線回線を確立する（ステップＳ２）と共に、当該無線回線を通じて親機に電話帳メモリ３２に記憶された電話帳データを転送し（ステップＳ３）、記憶部１３又は電話帳メモリ１４等に設けられた一時記憶領域に記憶させる。
【００３１】
そして、親機の主制御部１５において、一時記憶領域に記憶された電話帳データに含まれる共通電話帳及びプライベート電話帳の更新日時データと電話帳メモリ１４に記憶された共通電話帳及び対応する子機のプライベート電話帳の更新日時データとを比較し（ステップＳ４）、一致する場合において、子機に対して更新不要を連絡し（ステップＳ５）、その後、無線回線を開放して待機状態に移行させる一方、一致しない場合において、一時記憶領域に記憶された電話帳データと電話帳メモリ１４に記憶された電話帳データとを一項目づつ対比する（ステップＳ６）。
【００３２】
そして、その対比中の電話帳データに含まれる名称が電話帳メモリ１４及び一時記憶領域の両方に記憶されていると判断された場合には（ステップＳ７）、一時記憶領域に記憶された当該電話帳データに関して消去マークが付与されているか否か判断し（ステップＳ８）、消去マークが付与されていないと判断された場合において、電話帳メモリ１４又は一時記憶領域に記憶された電話帳データを、当該電話帳データに含まれる個別更新日時の新しい方のデータに合わせると共に、個別更新日時を時計部１２によって計時されている現在日時に更新させる（ステップＳ９）一方、消去マークが付与されていると判断された場合において、当該電話帳データを電話帳メモリ１４及び一時記憶領域から消去する（ステップＳ１０）。
【００３３】
尚、このとき、電話帳メモリ１４の共通電話帳に記憶されている電話帳データについては、一時記憶領域に記憶された電話帳データに消去マークが付与されている場合において、子機消去を示す領域に消去マークを付与し、親機消去及び子機消去を示す全ての領域に消去マークが付与されたときに消去する、即ち親機及び全ての子機によって消去指示が行われた場合に電話帳データを消去するよう構成しても良い。
【００３４】
一方、電話帳データの対比において、対比中の電話帳データに含まれる名称が電話帳メモリ１４及び一時記憶領域の両方に記憶されておらず、一時記憶領域にのみ記憶されていると判断された場合には（ステップＳ７，Ｓ１１）、当該電話帳データを時計部１２によって計時されている現在日時と共に電話帳メモリ１４に記憶する（ステップＳ１２）。
【００３５】
他方、電話帳データの対比において、対比中の電話帳データに含まれる名称が両電話帳メモリ１４及び一時記憶領域の両方に記憶されておらず、電話帳メモリ１４にのみ記憶されていると判断された場合には、当該電話帳データに関して子機消去を示す領域に消去マークが付与されているか否か判断し（ステップＳ１３）、消去マークが付与されていないと判断された場合において、当該電話帳データを時計部１２によって計時されている現在日時と共に一時記憶領域に記憶する（ステップＳ１４）。
【００３６】
そして、電話帳データの更新（ステップＳ９）、消去（ステップＳ１０）又は追加（ステップＳ１２）が行われるか、電話帳メモリ１４にのみ記憶されている電話帳データに関して子機消去を示す領域に消去マークが付与されていると判断されたとき（ステップＳ１３）、全ての項目について対比が完了したか否か判断され（ステップＳ１５）、完了していないと判断された場合において、上述の動作制御（ステップＳ６〜Ｓ１５）を再度行い、完了していると判断された場合において、上述の動作制御（ステップＳ６〜Ｓ１５）によって電話帳データの更新、消去又は追加が行われた場合には、電話帳メモリ１４及び一時記憶領域に記憶されている共通電話帳及びプライベート電話帳の更新日時を時計部１２によって計時されている現在日時に更新し（ステップＳ１６）、その後、一時記憶領域に記憶されている電話帳データを子機に送信し（ステップＳ１７）、子機において電話帳メモリ３２の内容を書き換えた後、待機状態に移行させる。
【００３７】
従って、上記動作制御によれば、手動操作によって電話帳データの変更があった後、子機が親機に装着されて充電が開始されたとき、当該変更に合わせて親機及び子機の電話帳データを更新することができると共に、当該電話帳データの更新をデータ消去にまで及ぼすことができる。
【００３８】
尚、上記動作制御では、子機の電話帳データを親機に転送して一時記憶させ、親機において電話帳データの比較を行うようにしたが、これに限定されるものではなく、親機の電話帳データを子機に転送して一時記憶させ、子機において電話帳データの比較を行うようにしたり、一項目づつ転送させて比較するようにしても良い。
【００３９】
又、上記動作制御では、子機において親機に装着されたのか充電器に装着されたのかを検知できるようにし、親機に装着されたときにデータ転送による電話帳データの更新を行うことにより、親機と子機との間において無線回線が確実に確立できる状態において電話帳データの更新を行うことができるようにしたが、充電器に装着されたときにもデータ転送による電話帳データの更新を行うようにしても良い。
【００４０】
又、上記動作制御では、親機及び子機の両方に同じ名称の電話帳データが登録されているとき、最新の更新日時の電話帳データとなるように、電話帳データの更新を行うようにしたが、これに限定されるものではなく、親機又は子機のいずれか一方に電話帳データが記憶されている場合にも、最新の更新日時の電話帳データとなるように、電話帳データの更新を行うようにしても良く、このように構成することにより、消去マークを付与することなく、消去した電話帳データの復活防止や電話帳メモリの有功活用を図ることができる。
【００４１】
即ち、上記動作制御では、手動操作によって電話帳データの消去指示が成されたとき、当該電話帳データに消去マークを付与し、消去マークが付与された電話帳データを不使用とすると共に、データ転送による電話帳データの更新時に消去マークが付与された電話帳データを消去することにより、消去した電話帳データの復活防止や電話帳メモリの有功活用を図るようにしたが、電話帳データの更新時において最新の更新日時データの電話帳データに合わせることにより、このような消去マークを用いなくても、消去した電話帳データの復活防止や電話帳メモリの有功活用を図ることができる。
【００４２】
更に、上記実施の形態では、コードレス電話機を用いて説明したが、これに限定されるものではなく、例えば、コードレス電話機能付きファクシミリ装置等のようなコードレス電話機能を備えた通信装置に適用できることは言うまでもない。
【００４３】
【発明の効果】
以上のように、本発明によれば、充電が開始されると、制御手段が電話帳データの更新を開始し、親機及び子機の電話帳データに、若しくは親機又は子機の電話帳データに、電話帳データの消去指示有りを表す消去情報が付与されている場合に、この消去情報に応じて電話帳データを消去することにより、親機又は、子機で消去された電話帳データが、更新後に復活することがないようにすることができる。
【００４４】
又、本発明によれば、子機に子機自身が親機に装着されたのか、充電器に装着されたのかを判別する判別手段を設けることで、子機が親機との通信を確実に行うことができる親機に装着されて充電を開始した場合にのみ、電話帳データの更新を行わせることができる。
【００４５】
更に、本発明によれば、電話帳メモリに電話帳データの登録があった日時を記憶しておき、子機の充電が開始されたとき、電話帳メモリに記憶された日時が親機と子機とで一致するか否かの判断に基づいてデータ転送を行うか否かを決定することにより、必要時においてのみ、データ転送による電話帳データの登録を行うことができ、データ転送による電話帳データの登録時に、最新の日時が記憶された電話帳データに合わせることができる。
【図面の簡単な説明】
【図１】本発明の一実施の形態であるコードレス電話機の親機の構成を示す機能ブロック図である。
【図２】同コードレス電話機の子機の構成を示す機能ブロック図である。
【図３】同コードレス電話機の子機におけるクレードル判定回路の構成を示すブロック図である。
【図４】同コードレス電話機の親機及び子機における電話帳メモリのデータ構成を示す説明図である。
【図５】同コードレス電話機における電話帳データ更新時の動作制御を示すフローチャートである。
【符号の説明】
１    電話回線網
２    網制御部
３，２４    音声処理部
４，２５    スピーカ
５，２６    マイク
６，２７    ハンドセット
７，２３    圧縮・伸長部
８，２１    アンテナ
９，２２    無線部
１０，２８    操作部
１１，２９    表示部
１２，３０    時計部
１３，３１    記憶部
１４，３２    電話帳メモリ
１５，３３    主制御部
１６，３４    充電供給部
１７，３５    ＤＣ電源
【図１】
0003590546.tif 000002
【図２】
0003590546.tif 000003
【図３】
0003590546.tif 000004
【図４】
0003590546.tif 000005
【図５】
0003590546.tif 000006